(57)【要約】【課題】  使用環境に合わせてソファー形態を容易に変更できることは勿論、多様な形態のソファーが形成可能であるとともに、余分な代替ユニットでも有効に活用することができ、しかも、構造も簡素なソファーデザインの自由度の大なる形態可変式ソファーを提供すること。【解決手段】  １種以上のソファーユニット１・１…と；これらのソファーユニット１の中から選択される複数のソファーユニット１を載置可能な形状スペースを有し、所定位置には載置された前記各ソファーユニット１を底面において螺着可能な連結ボルト２が植設された台輪フレーム３との組み合わせから成り、前記台輪フレーム３上に前記ソファーユニット１を選択配置してボルト結合させることによってユニットの組合わせデザインを任意に選べるように構成した。【選択図】  図１
0003119352.tif 000002
【実用新案登録請求の範囲】
【請求項１】
１種以上のソファーユニット１・１…と；これらのソファーユニットの中から選択される複数のソファーユニット１を載置可能な形状スペースを有し、所定位置には載置された前記各ソファーユニット１を底面において螺着可能な連結ボルト２が植設された台輪フレーム３との組み合わせから成り、前記台輪フレーム３上に前記ソファーユニット１を選択配置してボルト結合させることによってユニットの組合わせデザインを選べるように構成したことを特徴とするデザイン自由度の大なる形態可変式ソファー。
【請求項２】
ソファーユニット１の底面中心に係止孔13が螺設されている一方、台輪フレーム３の所定位置には取付板31が配設され、この取付板31に穿設された挿通孔32を介して植設された連結ボルト２に前記ソファーユニット１を係止孔13で螺着させることによって、各ソファーユニット１と台輪フレーム３とが連結されていることを特徴とする請求項１記載のデザイン自由度の大なる形態可変式ソファー。
【請求項３】
ソファーユニット１の底面角に固定金具14が突設されているとともに、台輪フレーム３には、ソファーユニット１の大きさに合わせた間隔で仕切り板33が配設されていることを特徴とする請求項１または２に記載のデザイン自由度の大なる形態可変式ソファー。
【請求項４】
ソファーユニット１の中の少なくとも１種が背凭れ部12を備え、かつ、平面視が正方形に作製されていることを特徴とする請求項１〜３の何れか一つに記載のデザイン自由度の大なる形態可変式ソファー。
【請求項５】
ソファーユニット１の背凭れ部12が、着座者の両側位置にきた場合に肘掛けとして使用できる程度の上面レベルに形成されていることを特徴とする請求項４記載のデザイン自由度の大なる形態可変式ソファー。
【考案の詳細な説明】
【技術分野】
【０００１】
本考案は、ソファーの改良、詳しくは、形態の変更が容易に可能で、しかも、デザインの自由度が非常に高い形態可変式ソファーに関するものである。
【背景技術】
【０００２】
周知のとおり、最近では、使用環境に合わせてフレキシブルに形態を変更できるソファーが一般的に用いられている。
【０００３】
そして、従来、このようなソファーに関して、座部及び背凭れ部、肘掛けをパーツ化するとともに、それらを突起及び穿孔による嵌合構造やボルト及びナット材による係止構造によって座フレームに着脱自在に取り付けることで、各パーツの取替えを可能にし、さらに、パーツの組み合わせによってソファー形態の変更を容易に行えるソファーが公知となっている（例えば、特許文献１参照）。
【０００４】
しかしながら、上記の従来ソファーにおいては、ソファーデザインを、座部及び背凭れ部の形態にのみ依存した構造であったことから、形成可能なソファーデザインの範囲が制限されて変化に乏しいという難点があった。
【０００５】
また、従来ソファーでは、新規にパーツを購入して取り替えた場合において、パーツ単体での使用が不可能であることから、再度取り替えられるまで余分となったパーツが不使用の状態となってしまい、格納上、非常に不便であった。
【０００６】
加えて、従来のソファーにおいては、パーツ各々に対して異なった連結手段が用いられていたことから、ソファー構造が自然と複雑になってしまい、それが、製造費が嵩む原因となるとともに、故障時の修理を面倒にしていた。
【特許文献１】特開平１０−１７９３２１号公報（第２−５頁、第１−３図）
【考案の開示】
【考案が解決しようとする課題】
【０００７】
本考案は、この上記の問題に鑑みてなされたものであって、その目的とするところは、使用環境に合わせてソファー形態を容易に変更できることは勿論、多様な形態のソファーが形成可能であるとともに、余分な代替ユニットでも有効に活用でき、しかも、構造も簡素なソファーデザインの自由度の大なる形態可変式ソファーを提供することにある。
【課題を解決するための手段】
【０００８】
本考案者が、上記課題を解決するために採用した手段を添付図面を参照して説明すれば次のとおりである。
【０００９】
即ち、本考案は、１種以上のソファーユニット１・１…と；これらのソファーユニット１の中から選択される複数のソファーユニット１を載置可能な形状スペースを有し、所定位置には載置された前記各ソファーユニット１を底面において螺着可能な連結ボルト２が植設された台輪フレーム３との組み合わせから成り、前記台輪フレーム３上に前記ソファーユニット１を選択配置してボルト結合させることによってユニットの組合わせデザインを任意に選べるように構成した点に特徴がある。
【００１０】
また、本考案においては、上記課題を解決するために、必要に応じて上記手段に加え、ソファーユニット１の底面中心に係止孔13を螺設する一方、台輪フレーム３の所定位置には挿通孔32を備えた取付板31を配設して、この取付板31の挿通孔32を介して植設された連結ボルト２に前記ソファーユニット１を係止孔13で螺着することで、ソファーユニット１を台輪フレーム３に連結するという技術的手段を採用することができる。
【００１１】
また、本考案においては、上記課題を解決するために、必要に応じて上記手段に加え、ソファーユニット１の底面角に固定金具14を突設するとともに、台輪フレーム３には、ソファーユニット１の大きさに合わせた間隔で仕切り板33を配設するという技術的手段を採用することができる。
【００１２】
また、本考案においては、上記課題を解決するために、必要に応じて上記手段に加え、ソファーユニット１の中のに少なくとも１種が背凭れ部12を備え、かつ、平面視が正方形に作製するという技術的手段を採用することができる。
【００１３】
また、本考案においては、上記課題を解決するために、必要に応じて上記手段に加え、ソファーユニット１の背凭れ部12を、着座者の両側位置にきた場合に肘掛けとして使用できる程度の上面レベルに形成するという技術的手段を採用することができる。
【考案の効果】
【００１４】
本考案のソファーにおいては、形態が異なる複数のソファーユニットの中から所定個数を選択し、それを台輪フレーム上に配置して、台輪フレーム上に植設された連結ボルトで固定できるように構成したことによって、様々なソファーユニットから成る多様なデザインのソファーを一体的に作製することができる。
【００１５】
また、単体でも使用できる形態のソファーユニットを用いたことによって、新規に別形態のソファーユニットを購入した際に、余分となったソファーユニットに関しても有効に活用できるため、非常に経済的である。
【００１６】
そしてまた、ソファーユニットと台輪フレーム、そして、これらを連結する連結ボルトという最小限の部材から構成したことによって、ソファー構造を簡素にすることができるため、製造の手間が少なくコストを低減できるとともに、故障した際における取扱いも容易となる。
【００１７】
したがって、本考案により、使用環境に合わせて形態をフレキシブルに変更できるだけでなく、経済的で取扱い易さに優れたデザイン自由度が非常に高いソファーを提供できることから、実用的利用価値は頗る高いものと云える。
【考案を実施するための最良の形態】
【００１８】
『第１実施形態』
本考案の第１実施形態を具体的に図示した図１から図４に基いて更に詳細に説明すると次のとおりである。まず、図中において符号１で指示するものは、ソファーユニットであり、符号２で指示するものは、連結ボルトである。そして、符号３で指示するものは、木材を用いて作製された台輪フレームである。
【００１９】
次に、本実施形態の構成を以下から説明する。まず、本実施形態においては、少なくとも座部11を有する１種以上のソファーユニット１・１…を作製した（図１、図２参照）。
【００２０】
そして、これらのソファーユニット１・１…の中から選択した所定個数のソファーユニット１・１を載置可能な形状スペースを有した台輪フレーム３を形成するとともに、この台輪フレーム３には、ソファーユニット１を底面において螺着可能な連結ボルト２を植設して、台輪フレーム３上に選択配置したソファーユニット１をボルト結合した。
【００２１】
なお、本実施形態では、ソファーユニット１の底面中心に係止孔13を螺設し、かつ、台輪フレーム３の所定位置には取付板31を配設して、この取付板31に穿設された挿通孔32を介して植設された連結ボルト２に前記ソファーユニット１を係止孔13で螺着した。これによって、ソファーユニット１の連結を一ヶ所で行うことができるため、構造を簡素化できるとともに、連結作業を高速化できる。
【００２２】
また、背凭れ部12を備え、かつ、平面視が正方形のソファーユニット１に選択したことにより、連結ボルト２を取り外してソファーユニット１を90度単位で回転させて再び連結すれば、ソファーを異なるデザインへと変貌させることができる。
【００２３】
例えば、図３に示すように、二つのソファーユニット１・１を夫々逆方向に90度回転すれば、横臥に適した形態のソファーを形成することができる。また、この形態時においては、ソファーユニット１の背凭れ部12が比較的低く形成されていることから、背凭れ部12を肘掛けとして使用して着座することも可能である。
【００２４】
また、これだけでなく他にも、図４に示すように、片方のソファーユニット１を180度回転させて、逆向きに着座可能なソファーを形成することもできる。
【００２５】
上記のように構成したことによって、様々な形態のソファーユニット群１・１…から選択してソファーを形成でき、これらを台輪フレーム３によってボルト連結できるため、多様なデザインのソファーを一体的に作製することができる。
【００２６】
また、座部11を配した単体でも使用できるソファーユニット１を用いていることから、新規に別形態のソファーユニット１を購入した際、余分になったソファーユニット１に関しても有効に活用できるため、非常に経済的である。
【００２７】
そしてまた、ソファーユニット１と台輪フレーム３、そして、これらを連結する連結ボルト２という最小限の部材から構成したことによって、ソファー構造を簡素化することができるため、製造コストの低減化が可能で、故障した際における取扱いも容易となる。
【００２８】
そして、本実施形態では、ソファーユニット１の底面角部にＬ字断面の固定金具14を突設し、さらに、台輪フレーム３には、ソファーユニット１の大きさに合わせた間隔で仕切り板33を配設した。そして、台輪フレーム３の外枠及び仕切り板33の内側面に対して固定金具14を嵌装した状態でソファーユニット１を台輪フレーム３に載置した。
【００２９】
これにより、連結作業時にソファーユニット１の横方向のズレを防止して台輪フレーム３に対するソファーユニット１の位置を確定できるとともに、使用時において連結ボルト２を含む連結部分に加わる負荷を上記の嵌装部分で分散することで大幅に軽減することができる。
【００３０】
『第２実施形態』
本考案の第２実施形態を具体的に図示した図５に基いて更に詳細に説明する。本実施形態では、台輪フレーム３及びソファーの形態をＬ字型に形成するとともに、平面視が矩形及び正方形のソファーユニット１を選択して台輪フレーム３上に配置し、矩形のソファーユニット１を、Ｌ字型の台輪フレーム３上で縦横自由に回転させて固定できるように構成した。これにより、正方形型のソファーユニット１でなくとも、多様なデザインのソファーを形成することができる。
【００３１】
また、本実施形態においては、台輪フレーム３の内縁角部に、ブロック状の取付部材を配設し、この取付部材に穿設した挿通孔32を介して連結ボルト２を、ソファーユニット１の底面角に螺設された係止孔13に螺着した。これによって、ソファーユニット１の底面四角で台輪フレーム３と連結できるため、連結強度をより高めることができる。
【００３２】
そして、台輪フレーム３を選択配置されるソファーユニット１・１よりも一回り大きく作製し、かつ、上記ブロック状の取付部材を台輪フレーム３の高さよりも低く形成することによって、ソファーユニット１を台輪フレーム３内に嵌合した状態で配置できるようにした。これにより、ソファーユニット１の位置決め及び連結部分に対する負荷の軽減を可能にしている。
【００３３】
また、本考案は、概ね上記のように構成されるが、図示の実施形態に限定されるものではなく、「実用新案登録請求の範囲」の記載内において種々の変更が可能であって、例えば、台輪フレーム３に用いる材料には、木材でなくとも、比較的軽量でソファー本体１を支持することができれば、金属材料や合成樹脂材料を用いてもよい。
【００３４】
また、台輪フレーム３の形態は直線型やＬ字型に限らず、Ｓ字型や環型でもよく、加えて、使用するソファーユニット１の個数も実施形態に制限されることはない。
【００３５】
そして、ソファーユニット１の形態も勿論図示したものに限らず、座部11や背凭れ部12に特徴のあるものや、カバーリングに特徴のあるものを採用して、独創的なデザインのソファーを形成できるようにしてもよく、何れも本考案の技術的範囲に属する。
【産業上の利用可能性】
【００３６】
最近では、室内の雰囲気や着座及び横臥姿勢に合わせて形態を変更することができるソファーが一般需要者から強く求められている。ところが、背凭れ部や肘掛け部の形状だけでなくそれらの配置変更まで許容するデザイン変更の自由度が大きいソファーは、市場において未だ見受けられなかった。
【００３７】
その点、本考案の形態可変式ソファーは、デザイン変更の自由度を最も重視して為されており、しかも、使用者及び製造者の双方にとって扱い易いよう構造が至ってシンプルに纏まっていることから、市場の需要に対して充分に応えることができるため、本考案の産業上の利用価値は非常に高いと云える。
【図面の簡単な説明】
【００３８】
【図１】本考案の第１実施形態におけるソファーを表わす全体斜視図である。
【図２】本考案の第１実施形態におけるソファーを表わす説明斜視図である。
【図３】本考案の第１実施形態における使用状態を表わす説明斜視図である。
【図４】本考案の第１実施形態における使用状態を表わす説明斜視図である。
【図５】本考案の第２実施形態におけるソファーを表わす全体斜視図である。
【符号の説明】
【００３９】
１  ソファーユニット
11  座部
12  背凭れ部
13  係止孔
14  固定金具
２  連結ボルト
３  台輪フレーム
31  取付板
32  挿通孔
33  仕切り板
【図１】
0003119352.tif 000003
【図２】
0003119352.tif 000004
【図３】
0003119352.tif 000005
【図４】
0003119352.tif 000006
【図５】
0003119352.tif 000007